(57)【特許請求の範囲】
【請求項１】
アナログ信号出力端子、デジタル信号出力端子及びデジタル信号入力端子を具えた主回路に対して、主回路から出力されるアナログ信号を受信すべきアナログ信号処理機器と、主回路から出力されるデジタル信号を受信すると共に主回路へデジタル信号を送信すべきデジタル信号処理機器を接続するための信号出力装置であって、
アナログ信号処理機器及びデジタル信号処理機器の内、任意の何れか一方の機器を接続するための共通のジャック(10)と、
主回路(９)のアナログ信号出力端子から出力されるアナログ信号と、主回路(９)のデジタル信号出力端子から出力されるデジタル信号の内、何れか一方の信号を選択して、前記ジャック(10)へ送出する信号選択手段
とを具え、
前記ジャック(10)は、デジタル信号処理機器から入力されるデジタル信号が印加されるべき第１端子Ｊ１と、前記信号選択手段によって選択された信号が印加されるべき第２端子Ｊ２とを具え、第１端子Ｊ１は主回路(９)のデジタル信号入力端子に接続され、
主回路(９)は、前記ジャック(10)に何らかの機器が接続されたかどうかを判断し、ジャック(10)に何らかの機器が接続されたと判断したとき、前記デジタル信号入力端子になんらかのデータ入力があったかどうかを判断し、何らかのデータ入力がなかったときは、前記信号選択手段を切り換えてアナログ信号を選択し、何らかのデータ入力があったときは、前記信号選択手段を切り換えてデジタル信号を選択することを特徴とする信号出力装置。
【請求項２】
前記ジャック(10)は更に、接地された第３端子Ｊ３と、ジャック(10)に何らかの機器が接続されたときにプルアップされる第４端子Ｊ４とを具え、第４端子Ｊ４は主回路(９)の機器検出端子ＪＡＣＫに接続され、主回路(９)は、該信号検出端子ＪＡＣＫの状態によって、ジャック(10)に何らかの機器が接続されたかどうかを判断する請求項１に記載の信号出力装置。
【請求項３】
信号選択手段は、アナログスイッチ(12)から構成される請求項１又は請求項２に記載の信号出力装置。
【請求項４】
主回路(９)のデジタル信号入力端子及びデジタル信号出力端子は、ＲＳ２３２Ｃトランシーバ(４)を介して、それぞれジャック(10)の第１端子及びアナログスイッチ(12)の一方の入力端子に接続されており、該ＲＳ２３２Ｃトランシーバ(４)にて昇圧された所定の電圧がアナログスイッチ(12)へ供給されて、アナログスイッチ(12)による信号の伝送が行なわれる請求項３に記載の信号出力装置。
【発明の詳細な説明】
【０００１】
【発明の属する技術分野】
本発明は、例えばデジタルスチルカメラの如く、アナログ信号の出力端子とデジタル信号の出力端子とを具えた映像機器に、映像を表示すべきＴＶモニタ等のアナログ信号処理機器や、種々の情報処理を実行するパーソナルコンピュータ等のデジタル信号処理機器を接続するための信号出力装置に関し、特に、アナログ信号処理機器とデジタル信号処理機器を接続するための共通のジャックを具え、ジャックに接続された機器に応じて、アナログ信号はアナログ信号処理機器へ出力し、デジタル信号はデジタル信号処理機器へ出力するための信号出力装置に関するものである。
【０００２】
【従来の技術】
従来、デジタルスチルカメラにおいては、図３に示す如く、パーソナルコンピュータなどのデジタル信号処理機器が接続されるべき通信用のジャック(２)と、ＴＶモニタなどのアナログ信号処理機器が接続されるべき映像出力用のジャック(３)とが設けられ、主回路(１)には、映像信号の如きアナログ信号を出力するためのアナログ信号出力端子ＶＩＤＥＯ、制御信号の如きデジタル信号が入力されるべきデジタル信号入力端子ＲＸＤ、制御信号の如きデジタル信号を出力すべきデジタル信号出力端子ＴＸＤなどが設けられている。
【０００３】
アナログ信号出力端子ＶＩＤＥＯは、ラインドライバー(８)を介して、映像出力用ジャック(３)の入力端子Ｊ３に接続されている。
又、デジタル信号入力端子ＲＸＤ及びデジタル信号出力端子ＴＸＤは、ＲＳ２３２Ｃトランシーバ(４)を介して、それぞれ通信用ジャック(２)の出力端子ＪＩ及び入力端子Ｊ２へ接続されている。
【０００４】
デジタル信号出力端子ＴＸＤから出力されるデジタル信号(制御信号)は０〜３.３Ｖの振幅を有しているが、ＲＳ２３２Ｃ規格においては±５Ｖ〜±１５Ｖの振幅が必要であるため、図３の回路では、０〜３.３Ｖの信号を、ＲＳ２３２Ｃトランシーバ(４)内のチャージポンプ(５)から得られる±６Ｖの電圧を用いて、±５.４の振幅に昇圧して、通信用ジャック(２)へ送出している。
【０００５】
又、アナログ信号出力端子ＶＩＤＥＯから出力されるアナログ信号(映像信号)は±１Ｖの振幅を有しており、該信号は、ラインドライバー(８)、直流阻止用コンデンサＣ、インピーダンスマッチング用の抵抗ＲＸを経て、映像出力用ジャック(３)の端子Ｊ３へ供給される。
【０００６】
従って、通信用ジャック(２)に例えばパーソナルコンピュータを接続することによって、デジタルスチルカメラとパーソナルコンピュータとの間でデータ通信を行なうことが可能となり、例えばパーソナルコンピュータによってデジタルスチルカメラを制御し、或いはデジタルスチルカメラから出力されるデジタル映像信号をパーソナルコンピュータへ供給して、画像に編集を加える等の処理が可能となる。
又、映像出力用ジャック(３)に例えばＴＶモニタを接続することによって、デジタルスチルカメラで撮影した画像をＴＶモニタに表示することが可能となる。
【０００７】
【発明が解決しようとする課題】
しかしながら、従来のデジタルスチルカメラにおいては、通信用ジャック(２)にパーソナルコンピュータ等のデジタル信号処理機器を接続すると同時に、映像出力用ジャック(３)にＴＶモニタ等のアナログ信号処理機器を接続して、両機器を同時に動作させることは出来ないにも拘わらず、通信用ジャック(２)と映像出力用ジャック(３)とが別個に設けられていたので、デジタルスチルカメラが大型化する問題があった。
【０００８】
そこで本発明の目的は、アナログ信号出力端子及びデジタル信号出力端子を具えた主回路に対して、主回路から出力されるアナログ信号を受信すべきアナログ信号処理機器と、主回路から出力されるデジタル信号を受信すべきデジタル信号処理機器を接続するための信号出力装置であって、従来の通信用ジャックと映像出力用ジャックとを１つのジャックで兼用することが出来る信号出力装置を提供することである。
【０００９】
【課題を解決する為の手段】
本発明に係る信号出力装置は、
アナログ信号処理機器及びデジタル信号処理機器の内、任意の何れか一方の機器を接続するための共通のジャック(10)と、
主回路(９)のアナログ信号出力端子から出力されるアナログ信号と、主回路(９)のデジタル信号出力端子から出力されるデジタル信号の内、何れか一方の信号を選択して、前記ジャック(10)へ送出する信号選択手段
とを具えている。
前記ジャック(10)は、デジタル信号処理機器から入力されるデジタル信号が印加されるべき第１端子Ｊ１と、前記信号選択手段によって選択された信号が印加されるべき第２端子Ｊ２とを具え、第１端子Ｊ１は主回路(９)のデジタル信号入力端子に接続される。
主回路(９)は、前記ジャック(10)に何らかの機器が接続されたかどうかを判断し、ジャック(10)に何らかの機器が接続されたと判断したとき、前記デジタル信号入力端子になんらかのデータ入力があったかどうかを判断し、何らかのデータ入力がなかったときは、前記信号選択手段を切り換えてアナログ信号を選択し、何らかのデータ入力があったときは、前記信号選択手段を切り換えてデジタル信号を選択する。
【００１０】
上記本発明の信号出力装置において、ジャック(10)にアナログ信号処理機器が接続されると、主回路(９)によって何らかの機器が接続されたことが検知された後、ジャック(10)の第１端子Ｊ１からデジタル信号入力端子になんらかのデータ入力があったかどうかが判断される。ここでは、ジャック(10)の第１端子Ｊ１にはアナログ信号処理機器が接続されているので、何らかのデータ入力はないと判断される。その結果、信号選択手段が切り換えられて、主回路(９)のアナログ信号出力端子から出力されるアナログ信号が選択され、該アナログ信号は、ジャック(10)の第２端子Ｊ２からアナログ信号処理回路へ供給される。
又、ジャック(10)にデジタル信号処理機器が接続されると、主回路(９)によってなんらかの機器が接続されたことが検知された後、ジャック(10)の第１端子Ｊ１からデジタル信号入力端子になんらかのデータ入力があったかどうかが判断される。ここでは、ジャック(10)の第１端子Ｊ１にはデジタル信号処理機器が接続されており、デジタル信号処理機器から供給されるデジタル信号は、第１端子Ｊ１を経て、主回路(９)のデジタル信号入力端子へ入力されるので、何らかのデータ入力があったと判断される。その結果、信号選択手段が切り換えられて、主回路(９)のデジタル信号出力端子から出力されるデジタル信号が選択され、該デジタル信号は、ジャック(10)の第２端子Ｊ２からデジタル信号処理回路へ供給される。
【００１１】
具体的構成において、前記ジャック(10)は更に、接地された第３端子Ｊ３と、ジャック(10)に何らかの機器が接続されたときにプルアップされる第４端子Ｊ４とを具え、第４端子Ｊ４は主回路(９)の機器検出端子ＪＡＣＫに接続され、主回路(９)は、該信号検出端子ＪＡＣＫの状態によって、ジャック(10)に何らかの機器が接続されたかどうかを判断する。
【００１３】
又、具体的には、信号選択手段は、アナログスイッチ(12)によって構成される。
これによって、アナログスイッチ(12)の一方の信号入力端子にはデジタル信号を入力すると共に、他方の信号入力端子にはアナログ信号を入力して、デジタル信号とアナログ信号の間で信号の切り換えを行なうことが出来る。
【００１４】
更に具体的には、主回路(９)のデジタル信号入力端子及びデジタル信号出力端子は、ＲＳ２３２Ｃトランシーバ(４)を介して、それぞれジャック(10)の第１端子及びアナログスイッチ(12)の一方の入力端子に接続されており、該ＲＳ２３２Ｃトランシーバ(４)にて昇圧された所定の電圧がアナログスイッチ(12)へ供給されて、アナログスイッチ(12)による信号の伝送が行なわれる。
【００１５】
該具体的構成によれば、従来の信号出力装置にも装備されているＲＳ２３２Ｃトランシーバ(４)を利用して、該ＲＳ２３２Ｃトランシーバ(４)にて昇圧された所定の電圧をマルチプレクサ(11)へ供給し、アナログスイッチ(12)を動作させることが出来るので、アナログスイッチ(12)の動作のために専用の電源回路を装備する必要はなく、回路構成が簡易となる。
【００１６】
【発明の効果】
本発明に係る信号出力装置によれば、従来の通信用ジャックと映像出力用ジャックとを１つのジャックで兼用することが出来るので、該信号出力装置を装備すべき電子機器の小型化を図ること出来る。
【００１７】
【発明の実施の形態】
以下、本発明をデジタルスチルカメラに実施した形態につき、図面に沿って具体的に説明する。
本発明に係るデジタルスチルカメラは、図１に示す如く、パーソナルコンピュータなどのデジタル信号処理機器や、ＴＶモニタなどのアナログ信号処理機器をを接続することが出来る通信／映像出力兼用ジャック(10)を具えている。
【００１８】
該デジタルスチルカメラの主回路(９)には、映像信号を出力すべきアナログ出力端子ＶＩＤＥＯと、制御信号などの通信データを入力すべきデジタル信号入力端子ＲＸＤと、制御信号などの通信データを出力すべきデジタル信号出力端子ＴＸＤと、制御信号を出力すべき制御信号出力端子ＣＯＮＴと、通信／映像出力兼用ジャック(10)に何らかの機器が接続されたことを検出するための機器検出端子ＪＡＣＫとが設けられている。
【００１９】
主回路(９)と通信／映像出力兼用ジャック(10)の間には、ＲＳ２３２Ｃトランシーバ(４)、ラインドライバー(８)、及びマルチプレクサ(11)が介在している。通信／映像出力兼用ジャック(10)は、“ステレオミニジャック”と称される汎用性の高い３ピンジャックであって、例えばパーソナルコンピュータが接続された場合に該パーソナルコンピュータから供給される制御データなどの通信データが印加される第１端子Ｊ１と、マルチプレクサ(11)を構成するアナログスイッチ(12)の出力端子から供給される通信データ若しくは映像信号が印加される第２端子Ｊ２と、接地された第３端子Ｊ３と、該ジャック(10)に何らかの機器が接続されたときにプルアップされる第４端子Ｊ４とが設けられている。
【００２０】
通信／映像出力兼用ジャック(10)の第１端子Ｊ１は、ＲＳ２３２Ｃトランシーバ(４)の反転器(６)を介して主回路(９)のデジタル信号入力端子ＲＸＤに接続される。第２端子Ｊ２は、マルチプレクサ(11)の共通出力端子ＣＯＭに接続される。又、第４端子Ｊ４は主回路(９)の機器検出端子ＪＡＣＫに接続される。
主回路(９)のデジタル信号出力端子ＴＸＤは、ＲＳ２３２Ｃトランシーバ(４)の反転器(７)を介してマルチプレクサ(11)の第１入力端子ＣＨ１に接続される。又、主回路(９)の映像信号出力端子ＶＩＤＥＯは、７５Ωラインドライバー(８)、直流阻止用のコンデンサＣ１、及びインピーダンスマッチング用の抵抗Ｒ１を介して、マルチプレクサ(11)の第２入力端子ＣＨ０に接続される。
【００２１】
ＲＳ２３２Ｃトランシーバ(４)は、３.３Ｖの電源が接続された電源端子ＶＣＣを具え、該電源端子に供給される電圧をチャージポンプ(５)によって＋６Ｖと−６Ｖに昇圧して、この電圧を用いて反転器(６)(７)によるデータ転送動作を行なうものである。これによって、主回路(９)のデジタル信号出力端子ＴＸＤから得られる振幅０〜３.３Ｖの通信データは、−５.４Ｖ〜＋５.４Ｖの振幅に昇圧される。
又、ＲＳ２３２Ｃトランシーバ(４)には、外付けコンデンサＣ２及びＣ３が接続されており、チャージポンプ(５)から得られる＋６Ｖと−６Ｖの電圧を、一対の電圧出力端子Ｖ＋及びＶ−から出力することが可能となっている。
【００２２】
主回路(９)のデジタル信号出力端子ＴＸＤから出力される通信データは上述の如くＲＳ２３２Ｃトランシーバ(４)を経て±５.４Ｖに昇圧された後、マルチプレクサ(11)の第１入力端子ＣＨ１へ入力される。
一方、主回路(９)の映像信号出力端子ＶＩＤＥＯから出力される映像信号は、７５Ωラインドライバー(８)、直流阻止用コンデンサＣ１、及びインピーダンスマッチング用抵抗Ｒ１を経て、マルチプレクサ(11)の第２入力端子ＣＨ０へ入力される。
尚、インピーダンスマッチング用抵抗Ｒ１の大きさは、マルチプレクサ(11)の内部のオン抵抗をＲ２とした場合、抵抗値の合計(Ｒ１とＲ２)が７５Ωとなる様に設定される。
【００２３】
又、マルチプレクサ(11)に設けられている一対の電源端子ＶＣＣ及びＶＥＥは、ＲＳ２３２Ｃトランシーバ(４)の電圧出力端子Ｖ＋及びＶ−がそれぞれ接続されており、第１入力端子ＣＨ１に入力された±５.４Ｖの通信データ或いは第２入力端子ＣＨ０に入力された±１Ｖの映像信号を共通出力端子ＣＯＭから出力するために必要な電圧(±６Ｖ)を賄う構成となっている。
尚、マルチプレクサ(11)に±５.４Ｖの通信データと±１Ｖの映像信号を通すためには、−５.４Ｖ以下の電圧が得られる負電源と、＋５.４Ｖ以上の電圧が得られる正電源が必要となるが、マルチプレクサ(11)の消費電流は１μＡ以下であるので、ＲＳ２３２Ｃトランシーバ(４)から得られる＋６Ｖ及び−６Ｖをマルチプレクサ(11)の正電源ＶＣＣ及び負電源ＶＥＥとして利用することが出来るのである。
【００２４】
マルチプレクサ(11)の切り換えは、主回路(９)の制御信号出力端子ＣＯＮＴからから得られる制御信号(ＣＯＮＴ信号)によって行なわれる。即ち、ＣＯＮＴ信号が“Ｈ”のとき、マルチプレクサ(11)は第１入力端子ＣＨ１に切り換えられ、ＣＯＮＴ信号が“Ｌ”のとき、マルチプレクサ(11)は第２入力端子ＣＨ０に切り換えられる。
【００２５】
図２は、主回路(９)によるマルチプレクサ(11)の切り換え動作を表わしている。
デジタルスチルカメラの電源がオンとなった後、先ずステップＳ１では、主回路(９)からのＣＯＮＴ信号を“Ｌ”に設定した後、機器検出端子ＪＡＣＫの状態を検出し、これによって通信／映像出力兼用ジャック(10)に何らかの機器が接続されたかどうかを判断する。ここでノーと判断されたときは、ステップＳ１に戻って、ＣＯＮＴ信号を“Ｌ”に維持する。
【００２６】
その後、ステップＳ２にてイエスと判断されたときは、主回路(９)のデジタル信号入力端子ＲＸＤに何らかのデータ入力が有ったか否かを判断し、データ入力がなかったときは、ステップＳ８にて、マルチプレクサ(11)の第２入力端子ＣＨ０に入力される映像信号が選択された状態で、通信／映像出力兼用ジャック(10)にＴＶモニタを接続することが可能となる。これによってデジタルスチルカメラで撮影した画像をＴＶモニタに表示させることが出来る。
【００２７】
その後、ステップＳ９にて画像のモニタを終了すると、ステップＳ１０にて再び機器検出端子ＪＡＣＫの状態を検出し、これによって通信／映像出力兼用ジャック(10)に機器が接続されていない(ノー)と判断されたときは、ステップＳ１に戻って、ＣＯＮＴ信号を“Ｌ”に維持する。
ステップＳ１０にて、通信／映像出力兼用ジャック(10)に何らかの機器が接続されている(イエス)と判断されたときは、ステップＳ３に戻って、主回路(９)のデジタル信号入力端子ＲＸＤに何らかのデータ入力が有ったか否かを判断する。
【００２８】
ここで、通信／映像出力兼用ジャック(10)にパーソナルコンピュータが接続されているときは、該パーソナルコンピュータがホストとなって、デジタルスチルカメラへ何らかの制御データが送信されるので、ステップＳ３にてイエスと判断されることになる。
そして、ステップＳ４では、ＣＯＮＴ信号を“Ｈ”に切り換え、ステップＳ５にて、マルチプレクサ(11)の第１入力端子ＣＨ１に入力される通信データが選択された状態で、主回路(１)から通信／映像出力兼用ジャック(10)へ通信データを供給することが可能となる。この結果、デジタルスチルカメラとパーソナルコンピュータの間で双方向のデータ通信が行なわれることになる。
【００２９】
その後、ステップＳ６にてパーソナルコンピュータとの通信を終了すると、ステップＳ７にて、機器検出端子ＪＡＣＫの状態を検出し、これによって通信／映像出力兼用ジャック(10)に何れの機器も接続されていない(ノー)と判断されたときは、ステップＳ１に戻って、ＣＯＮＴ信号を“Ｌ”に切り換える。これに対し、通信／映像出力兼用ジャック(10)に何らかの機器が接続されている(イエス)と判断されたときは、ステップＳ３に戻って、主回路(９)のデジタル信号入力端子ＲＸＤに何らかのデータ入力が有ったか否かを判断する。
【００３０】
上記手続きによれば、通信／映像出力兼用ジャック(10)にＴＶモニタなどのアナログ信号処理機器が接続されたときは、デジタルスチルカメラからの映像信号がマルチプレクサ(11)を経て通信／映像出力兼用ジャック(10)へ供給され、アナログ信号処理機器での信号処理、例えば画像表示が可能となる。
一方、通信／映像出力兼用ジャック(10)にパーソナルコンピュータなどのデジタル信号処理機器が接続されたときは、デジタルスチルカメラからの通信データがマルチプレクサ(11)を経て通信／映像出力兼用ジャック(10)へ供給され、デジタルスチルカメラとデジタル信号処理機器との間で双方のデータ通信が可能となる。
【００３１】
尚、通信／映像出力兼用ジャック(10)にパーソナルコンピュータなどのデジタル信号処理機器が接続された状態で、デジタルスチルカメラの映像信号出力端子ＶＩＤＥＯから映像信号が出力されたとしても、該映像信号は±１Ｖの振幅を有するに過ぎず、通信データの電圧±５.４Ｖよりも充分に低いので、デジタル信号処理機器がこの信号に応答して誤動作などを生じる虞れはない。
【００３２】
上記デジタルスチルカメラにおいては、従来のデジタルスチルカメラに設けられていた通信用ジャック(２)及び映像出力用ジャック(３)が１つのジャック(10)で兼用されているので、１つのジャックの設置スペース分だけカメラの小型化が可能となる。
【図面の簡単な説明】
【図１】本発明に係るデジタルスチルカメラの要部を示す回路図である。
【図２】該デジタルスチルカメラの動作を表わすフローチャートである。
【図３】従来のデジタルスチルカメラの構成を示す回路図である
【符号の説明】
(９)  主回路
(４)  ＲＳ２３２Ｃトランシーバ
(５)  チャージポンプ
(10)  通信／映像出力兼用ジャック
(11)  マルチプレクサ
(12)  アナログスイッチ
【図１】
0003663074.tif 000002
【図２】
0003663074.tif 000003
【図３】
0003663074.tif 000004